(57)【特許請求の範囲】
【請求項１】
それぞれ電子機器に取り付けられる端子金具が端末に取り付けられる複数の電線を、前記端子金具を露出した状態で収容するプロテクタ本体を備えたプロテクタにおいて、
それぞれの端子金具の前記電線を中心とした向きが予め定められており、
前記電線それぞれに対応して設けられかつ前記端子金具が前記予め定められた向きとなるように、前記電線を前記プロテクタ本体に固定する向き固定部を備え、
前記向き固定部が、前記プロテクタ本体の底壁から凸でかつ前記電線の径方向に間隔をあけて並べられた複数の凸部と、前記複数の凸部に密に接するように前記底壁に向かって押し付けた状態で前記電線を前記プロテクタ本体に固定する固定部材と、を備え、
前記向き固定部が、前記複数の凸部を互いの間に位置付けるとともに前記底壁を貫通した一対の貫通孔を備え、
前記固定部材が、前記一対の貫通孔に順に通されて前記電線を結束する結束バンドであることを特徴とするプロテクタ。
【請求項２】
前記電線それぞれの端末の前記プロテクタ本体からの突出量が予め定められており、
前記電線それぞれに対応して設けられかつ前記電線それぞれの端末の前記プロテクタ本体からの突出量が前記予め定められた突出量となるように、前記電線を前記プロテクタ本体に固定する突出量固定部を備えたことを特徴とする請求項１に記載のプロテクタ。
【請求項３】
前記突出量固定部が、前記プロテクタ本体の底壁から立設した複数の立設壁の少なくとも互いに相対する内面に設けられた位置決め突起を備えていることを特徴とする請求項２記載のハーネス用プロテクタ。
【発明の詳細な説明】
【技術分野】
【０００１】
本発明は、自動車などに配索されるワイヤハーネスを保護するハーネス用プロテクタに関する。
【背景技術】
【０００２】
ハイブリット車や電気自動車などのモータの回転駆動力により走行する自動車には、バッテリ、インバータ及び当該モータなどの電源装置が搭載されている。なお、本発明では、電源装置とは、前記自動車が走行するための電力が供給されたり、当該電力を他の電源装置に供給するものをいう。
【０００３】
そして、前記バッテリ、インバータ及びモータは、ワイヤハーネスによって電気的に接続されている。この種のワイヤハーネスは、複数の電線としての電源ケーブルと、前記電源ケーブルの端末に取り付けられた端子金具と、前記電源ケーブルを収容するコルゲートチューブなどを備えている。電源ケーブルは、導電性の芯線と、当該芯線を被覆する絶縁性の被覆部と、前記被覆部を覆うシールド編組と、当該シールド編組を更に覆う外皮などを備えている。電源ケーブルは、各種の電子機器を制御するための制御信号を伝送する電線よりもはるかに太く形成されており、当該制御信号を伝送する電線よりも曲げ難くかつねじり難くなっている。
【０００４】
端子金具は、導電性の厚手の板金で構成されかつ前記電源ケーブルの芯線と接続するケーブル接続部と、当該ケーブル接続部に連なりかつ前述した電源装置に接続する装置接続部とを備えている。装置接続部は、平板状に形成されかつその中央部にボルトなどを通す通し孔が貫通している。装置接続部は、前述した電源装置に設けられた端子台などに重ねられかつ通し孔内を通ったボルトがナットにねじ込まれることで、当該電源装置の端子台に取り付けられる。
【０００５】
コルゲートチューブとして、前記複数の電源ケーブルの全ての中央部を収容する大径コルゲートチューブや、複数の電線ケーブルのうちの一本の電源ケーブルの端末を収容する小径コルゲートチューブが設けられている。
【０００６】
前述したワイヤハーネスを自動車に配索する際に、従来から種々のハーネス用プロテクタ（例えば、特許文献１参照）が用いられてきた。この種のハーネス用プリテクタは、樋状のプロテクタ本体と、当該プロテクタ本体に取り付けられる蓋体とを備えている。ハーネス用プロテクタは、端末に設けられた端子金具を露出した状態で電源ケーブルをプロテクタ本体と蓋体との間に収容する。
【先行技術文献】
【特許文献】
【０００７】
【特許文献１】特開２００７−３０６７３２号公報
【発明の概要】
【発明が解決しようとする課題】
【０００８】
前述した特許文献１などに示された従来のハーネス用プロテクタは、端子金具の電源ケーブルを中心とした回転方向の向きを何ら位置決めしていない。このために、ハーネス用プリテクタから露出した電源ケーブルの端末に取り付けられた端子金具を前述した端子台に取り付ける際には、電源ケーブルを捻って、端子金具の装置接続部を端子台に重ねることが必要な場合があった。
【０００９】
このため、ハーネス用プロテクタが前述した電源装置の近傍に配置されて、当該ハーネス用プロテクタから露出した電源ケーブルの端末の長さが短くなると、端子金具の装置接続部を端子台に重なるように、電源ケーブルを捻ることが困難となることが考えられる。この場合、端子金具の装置説接続部を電源装置の端子台に取り付けることができなくなってしまう。
【００１０】
したがって、本発明の目的は、収容した電線の端末に設けられた端子金具を電源装置などの電子機器に確実に接続することを可能とするハーネス用プロテクタを提供することにある。
【課題を解決するための手段】
【００１１】
前記課題を解決し目的を達成するために、請求項１に記載の本発明のハーネス用プロテクタは、それぞれ電子機器に取り付けられる端子金具が端末に取り付けられる複数の電線を、前記端子金具を露出した状態で収容するプロテクタ本体を備えたプロテクタにおいて、それぞれの端子金具の前記電線を中心とした向きが予め定められており、前記電線それぞれに対応して設けられかつ前記端子金具が前記予め定められた向きとなるように、前記電線を前記プロテクタ本体に固定する向き固定部を備え、前記向き固定部が、前記プロテクタ本体の底壁から凸でかつ前記電線の径方向に間隔をあけて並べられた複数の凸部と、前記複数の凸部に密に接するように前記底壁に向かって押し付けた状態で前記電線を前記プロテクタ本体に固定する固定部材と、を備え、前記向き固定部が、前記複数の凸部を互いの間に位置付けるとともに前記底壁を貫通した一対の貫通孔を備え、前記固定部材が、前記一対の貫通孔に順に通されて前記電線を結束する結束バンドであることを特徴としている。
【００１４】
請求項２に記載の本発明のハーネス用プロテクタは、請求項１に記載のハーネス用プロテクタにおいて、前記電線それぞれの端末の前記プロテクタ本体からの突出量が予め定められており、前記電線それぞれに対応して設けられかつ前記電線それぞれの端末の前記プロテクタ本体からの突出量が前記予め定められた突出量となるように、前記電線を前記プロテクタ本体に固定する突出量固定部を備えたことを特徴としている。
【００１５】
請求項３に記載の本発明のハーネス用プロテクタは、請求項２に記載のハーネス用プロテクタにおいて、前記突出量固定部が、前記プロテクタ本体の底壁から立設した複数の立設壁の少なくとも互いに相対する内面に設けられた位置決め突起を備えていることを特徴としている。
【００１６】
請求項１に記載した本発明のハーネス用プロテクタによれば、向き固定部により、端子金具が予め定められた向きとなるように、各電線がプロテクタ本体に固定される。このために、電線を電源装置などの電子機器に取り付ける際に、捻る必要が生じない。なお、本発明でいう、予め定められた向きとは、電線の端末に取り付けられた端子金具を電源装置などの電子機器に取り付けることができる設計上定められる向きをいう。
【００１７】
さらに、向き固定部が電線の径方向に間隔をあけた複数の凸部と、複数の凸部に電線を押し付ける固定部材とを備えている。このために、複数の凸部に電線が密に接触するので、向き固定部が電線の向きを確実に予め定められた向きに固定することができる。
【００１８】
さらに、固定部材が、底壁を貫通した一対の貫通孔を順に通されて電線を結束する結束バンドであるので、凸部に電線を密に接触させた状態で確実に当該電線をプロテクタ本体に固定することができる。
【００１９】
請求項２に記載した本発明のハーネス用プロテクタによれば、突出量固定部により、プロテクタ本体からの突出量が予め定められた突出量となるように、各電線がプロテクタ本体に固定される。このために、電線を電源装置などの電子機器に取り付ける際に、短すぎることなく、長すぎることも無い。なお、本発明でいう、予め定められた突出量とは、電線の端末に取り付けられた端子金具を電源装置などの電子機器に取り付けることができる設計上定められる突出量をいう。
【００２０】
請求項３に記載した本発明のハーネス用プロテクタによれば、突出量固定部が底壁から立設した立設壁の互いに相対する内面に設けられた位置決め突起を備えている。このため、突出量固定部は、当該位置決め突起に電線などを引っ掛けることにより、当該電線の突出量が予め定められた突出量となるように、電線を固定することができる。
【発明の効果】
【００２１】
以上説明したように、請求項１に記載の本発明は、電線を電源装置などの電子機器に取り付ける際に捻る必要が生じないので、当該電線を確実に電子機器に取り付けることが可能となる。
【００２２】
さらに、複数の凸部に電線が密に接触するので、向き固定部が電線の向きを確実に予め定められた向きに固定することができる。よって、電線をより確実に電子機器に取り付けることが可能となる。
【００２３】
さらに、凸部に電線を密に接触させた状態で確実に当該電線をプロテクタ本体に固定することができる。よって、電線をより一層確実に電子機器に取り付けることが可能となる。
【００２４】
請求項２に記載の本発明は、電線を電源装置などの電子機器に取り付ける際に、短すぎることなく、長すぎることも無いので、当該電線をより確実に電子機器に取り付けることが可能となる。
【００２５】
請求項３に記載の本発明は、電線のプロテクタ本体からの突出量が予め定められた突出量となるように、電線を固定することができるので、当該電線をより一層確実に電子機器に取り付けることが可能となる。
【図面の簡単な説明】
【００２６】
【図１】本発明の一実施形態にかかるハーネス用プロテクタをワイヤハーネスに取り付けた状態を示す斜視図である。
【図２】図１に示されたハーネス用プロテクタの分解斜視図である。
【図３】図２に示されたハーネス用プロテクタのプロテクタ本体の平面図である。
【図４】図２中のＩＶ部を拡大して示す斜視図である。
【図５】図２に示されたハーネス用プロテクタの蓋体の斜視図である。
【図６】図３に示されたプロテクタ本体内にワイヤハーネスを収容した状態を示す平面図である。
【発明を実施するための形態】
【００２７】
以下、本発明の一実施形態にかかるハーネス用プロテクタ１（以下、単にプロテクタと呼ぶ）を、図１乃至図６を参照して説明する。
【００２８】
本発明の一実施形態にかかるプロテクタ１は、移動体としての自動車などのパネルに取り付けられて、自動車などに配索されるワイヤハーネス２を保護するとともに、該ワイヤハーネス２をパネル即ち車体に位置決めする。
【００２９】
ワイヤハーネス２は、例えば、ハイブリッド自動車や電気自動車などのモータの駆動力により走行可能な自動車に配索される。モータには、インバータを介して電源装置としてのバッテリからの電力が供給される。
【００３０】
本実施形態のワイヤハーネス２は、モータとインバータとを互いに電気的に接続して、インバータからモータへ又はモータからインバータへと電力を供給する。前述したモータ、インバータ及びバッテリは、自動車を走行する際に必要とされる電力が供給されたり、供給する電源装置をなしている。こうして、本実施形態のワイヤハーネス２は、電源装置同士を電気的に接続している。なお、前述した電源装置としてのモータ、インバータ及びバッテリは、特許請求の範囲に記載された電子機器にも相当する。
【００３１】
ワイヤハーネス２は、図１及び図６に示すように、少なくとも一本の電線としての電源ケーブル３（図示例では、三本）と、これら三本の電源ケーブル３の全てを収容した大径コルゲートチューブ４（図示例では、一本）と、それぞれ一本の電源ケーブル３を収容した複数（図示例では、三本）のコルゲートチューブとしての小径コルゲートチューブ５と、それぞれの電源ケーブル３の端末に取り付けられた端子金具６（図１のみに示す）とを備えている。
【００３２】
電源ケーブル３は、導電性の芯線と、絶縁性の被覆部と、シールド編組と、絶縁性の外皮と、を備えている。芯線は、複数の導電性の素線が撚られて形成されている。芯線を構成する素線は、銅、銅合金、アルミニウム合金などの導電性の金属で構成されている。また、芯線は、一本の素線で構成されてもよい。被覆部は、ポリ塩化ビニルなどの合成樹脂で構成されている。被覆部は、芯線を被覆している。シールド編組は、銅、銅合金、アルミニウム合金などの導電性の金属で構成された複数の素線が互いに編まれて構成されている。シールド編組は、被覆部を覆っている。外皮は、ポリ塩化ビニルなどの合成樹脂で構成されている。外皮は、シールド編組を被覆している。電源ケーブル３は、各種の電子機器を制御するための制御信号を伝送する電線よりもはるかに太く形成されており、当該制御信号を伝送する電線よりも曲げ難くかつねじり難くなっている。
【００３３】
大径コルゲートチューブ４は、絶縁性の合成樹脂としての熱可塑性樹脂で構成されている。大径コルゲートチューブ４は、断面円形の筒状に形成されている。また、大径コルゲートチューブ４は、図６に示すように、周方向に延在した凹条溝７と周方向に延在した凸条部７とが長手方向に交互に配列されて、外表面が蛇腹状に形成されているとともに、全体が均一の肉厚に形成されている。勿論、凹条溝７の内外径が、凸条部８の内外径よりも小さく形成されている。
【００３４】
大径コルゲートチューブ４は、前述した三本の電源ケーブル３全ての長手方向の中央部を収容している。当該三本の電源ケーブル３と固定されている。
【００３５】
小径コルゲートチューブ５は、絶縁性の合成樹脂としての熱可塑性樹脂で構成されている。小径コルゲートチューブ５は、断面円形の筒状に形成されている。また、小径コルゲートチューブ５は、その内外径が大径コルゲートチューブ４の内外径よりも十分に小さく形成されている。さらに、小径コルゲートチューブ５は、大径コルゲートチューブ４と同様に、図６に示すように、周方向に延在した凹条溝９と周方向に延在した凸条部１０とが長手方向に交互に配列されて、外表面が蛇腹状に形成されているとともに、全体が均一の肉厚に形成されている。勿論、凹条溝９の内外径が、凸条部１０の内外径よりも小さく形成されている。小径コルゲートチューブ５は、それそれ、大径コルゲートチューブ４外に露出した一本の電源ケーブル３の端末を収容して、当該一本の電源ケーブル３と固定されている。
【００３６】
端子金具６は、導電性の厚手の板金で構成され、電源ケーブル３の端末に取り付けられている。端子金具６は、電源ケーブル３の芯線の端末に取り付けられる電線接続部３１と、装置接続部３２とを一体に備えている。電線接続部３１は、電源ケーブル３の芯線を加締める加締め片と、電源ケーブル３の被覆部を加締める加締め片とを備えている。電線接続部３１は、加締め片が加締めることにより、被覆部即ち電源ケーブル３の端末に固定されるとともに、当該電源ケーブル３の芯線と電気的に接続される。
【００３７】
装置接続部３２は、平板状に形成されているとともに。中央に通し孔３３が貫通している。装置接続部３２は、前述したモータやインバータなどの電源装置（電子機器）に設けられた端子台に重ねられて、通し孔３３内に図示しないボルトが通されて、当該端子台即ち電源装置（電子機器）に取り付けられるとともに電気的に接続される。
【００３８】
前述したワイヤハーネス２は、後述するプロテクタ１内に収容された際に、各電源ケーブル３のプロテクタ１の後述する突出量固定部１２即ちプロテクタ本体１１からの突出量Ｄ１，Ｄ２，Ｄ３（図１に示す）と、端子金具６の電源ケーブル３を中心とした回転方向の向きが予め定められている。突出量Ｄ１，Ｄ２，Ｄ３は、比較的短くなっている。なお、本発明でいう、予め定められた突出量Ｄ１，Ｄ２，Ｄ３とは、電源ケーブル３の端末に取り付けられた端子金具６を電源装置などの電子機器に取り付けることができる設計上定められる突出量をいう。なお、本発明でいう、予め定められた向きとは、電源ケーブル３の端末に取り付けられた端子金具６を電源装置などの電子機器に取り付けることができる設計上定められる向きをいう。
【００３９】
そして、ワイヤハーネス２は、前述した突出量Ｄ１，Ｄ２，Ｄ３が比較的短く即ちプロテクタ１が端子金具６が取り付けられる電源装置（電子機器）の近傍に配置され、電源ケーブル３が制御信号を伝送する電線よりも曲げ難くかつねじり難くても、電源ケーブル３を捻ることなく又は殆ど捻ることなく、各端子金具６を前述した電源装置（電子機器）に取り付けることを可能としている。
【００４０】
プロテクタ１は、端子金具６が取り付けられる電源装置（電子機器）の近傍に配置される。プロテクタ１は、図２に示すように、プロテクタ本体１１と、向き固定部１７と、突出量固定部１２と、蓋体１３とを備えている。プロテクタ本体１１は、絶縁性の合成樹脂で構成され、底壁１５と、当該底壁１５の両縁から立設した一対の立設壁としての側壁１６とを備えて、樋状に形成されている。また、プロテクタ本体１１は、図３に示すように、その全長に亘って直線状に形成されている。
【００４１】
また、プロテクタ本体１１の図３中左側の一方の端部には、大径位置決め部２０が設けられている。大径位置決め部２０は、複数の大径位置決め突起２１を備えている。大径位置決め突起２１は、それぞれ、互いに相対する側壁１６の内面及び底壁１５の表面から凸に形成されているとともに、プロテクタ本体１１の長手方向に対して直交する方向に沿って直線状に延在している。複数の大径位置決め突起２１は、大径直線部１７の長手方向に互いに間隔をあけて配置されている。
【００４２】
また、大径位置決め突起２１の厚みは、それぞれ、大径コルゲートチューブ４の凹条溝７の当該大径コルゲートチューブ４の長手方向の幅と等しく形成されている。大径位置決め突起２１は、前述した側壁１６の内面及び底壁１５の表面から突出して、半円環状に形成されている。また、大径位置決め突起２１の内径は、大径コルゲートチューブ４の凹条溝７の外径と略等しく形成されている。
【００４３】
さらに、プロテクタ本体１１の図３中左側の他方の端部には、複数（図示例では、二つ）の立設壁としての仕切り壁２２が設けられている。仕切り壁２２は、底壁１５から立設しているとともに、互いに間隔をあけて平行に設けられている。また、二つの仕切り壁２２は、側壁１６から間隔をあけている。こうして、二つの仕切り壁２２は、一対の側壁１６間に設けられ、かつ当該側壁１６からの距離と互いの間の距離とが等しくなる位置に設けられている。
【００４４】
また、プロテクタ本体１１には、複数の固定用フランジ２５が設けられている。固定用フランジ２５は、プロテクタ本体１１の外表面から突出した平板状に形成されている。固定用フランジ２５には、前述したパネルに設けられたウェルドナットなどに螺合するボルトを通す通し孔２６が設けられている。
【００４５】
前述した構成のプロテクタ本体１１は、図６に示すように、大径コルゲートチューブ４の端部を前述した一方の端部内に収容し、小径コルゲートチューブ５を他方の端部内に通して、プロテクタ本体１１外に導く。このとき、大径コルゲートチューブ４の端部の凹条溝７内に大径位置決め突起２１を挿入して、当該大径コルゲートチューブ４をプロテクタ本体１１に位置決めする。また、三本の小径コルゲートチューブ５即ち三本の電源ケーブル３のうち一本を一方の側壁１６と仕切り壁２２との間に通し、他の一本を仕切り壁２２間に通し、残りの一本を他方の側壁１６と仕切り壁２２との間に通す。さらに、小径コルゲートチューブ５の端部の凹条溝９内に後述する位置決め突起２３を挿入して、当該小径コルゲートチューブ５をプロテクタ本体１１に位置決めする。こうして、プロテクタ本体１１は、端子金具６を露出した状態でワイヤハーネス２を収容する。
【００４６】
向き固定部１７は、電源ケーブル３それぞれに対応して設けられている。図示例では、向き固定部１７は、電源ケーブル３と１対１で対応して、全部で三つ設けられている。向き固定部１７は、プロテクタ本体１１の他方の端部に設けられている。向き固定部１７は、プロテクタ本体１１の幅方向に間隔をあけて並べられている。なお、図示例では、互いに隣り合う向き固定部１７は、プロテクタ本体１１の長手方向に若干位置ずれ配置されている。向き固定部１７は、図４などに示すように、複数（図示例では、二つ）の凸部１８と、一対の貫通孔１９と、固定部材としての結束バンド２４（図６のみに示す）とを備えている。
【００４７】
凸部１８は、底壁１５から凸に形成され、かつ互いにプロテクタ本体１１即ち当該プロテクタ本体１１内に収容される電源ケーブル３の径方向に間隔をあけて設けられているとともに、それぞれがプロテクタ本体１１の長手方向に直線状に延在している。凸部１８は、その断面形状が三角形に形成されている。
【００４８】
一対の貫通孔１９は、互いの間に二つの凸部１８を位置付ける位置に設けられている。貫通孔１９は、底壁１５を貫通している。なお、図示例では、一対の貫通孔１９と、二つの凸部１８とは、プロテクタ本体１１の幅方向に互いに間隔をあけて並べられている。
【００４９】
結束バンド２４は、絶縁性の合成樹脂で構成され、図６に示すように、帯状のバンド本体３４と、このバンド本体３４の一端部に設けられた枠状のバンド固定部３５とを一体に備えている。バンド本体３４は、他端部がバンド固定部３５内に挿入されて、当該バンド固定部３５に係止される。
【００５０】
前述した構成の向き固定部１７は、二つの凸部１８の上に対応する電源ケーブル３が直接載置される。そして、結束バンド２４のバンド本体３４の他端部がプロテクタ本体１１の内側から一対の貫通孔１９に順に通される。そして、結束バンド２４のバンド本体３４の他端部が凸部１８に重ねられた電源ケーブル３に重ねられた後、バンド固定部３５内に挿入される。そして、向き固定部１７は、電源ケーブル３の端末に取り付けられた端子金具６の向きを前述した予め定められた向きとした後に、結束バンド２４のバンド本体３４の他端部をバンド固定部３５から引き出して、当該結束バンド２４で電源ケーブル３とプロテクタ本体１１とを縛る（結束する）。こうして、結束バンド２４が、一対の貫通孔１９に順に通されて電源ケーブル３を結束して、複数の凸部１８に直接密に接するように、電源ケーブル３をプロテクタ本体１１の底壁１５に向かって押し付けた状態で、当該電源ケーブル３をプロテクタ本体に固定する。こうして、向き固定部１７は、端子金具６が前述した予め定められた向きとなるように、当該電源ケーブル３をプロテクタ本体１１に固定する。
【００５１】
突出量固定部１２は、各側壁１６と仕切り壁２２との間のそれぞれに設けられている。即ち、突出量固定部１２は、三つ設けられ、かつこれら三つの突出量固定部１２は、プロテクタ本体１１の幅方向に並べられている。突出量固定部１２は、それぞれ、複数の位置決め突起２３を備えている。位置決め突起２３は、それぞれ、互いに相対する側壁１６と仕切り壁２２の内面及び底壁１５の表面から凸に形成されているとともに、プロテクタ本体１１の長手方向に対して直交する方向に沿って直線状に延在している。複数の位置決め突起２３は、プロテクタ本体１１の長手方向に互いに間隔をあけて配置されている。
【００５２】
また、位置決め突起２３の厚みは、それぞれ、小径コルゲートチューブ５の凹条溝９の当該小径コルゲートチューブ５の長手方向の幅と等しく形成されている。さらに、位置決め突起２３は、前述した側壁１６及び仕切り壁２２の内面及び底壁１５の表面から突出して、半円環状に形成されている。また、位置決め突起２３の内径は、小径コルゲートチューブ５の凹条溝９の外径と略等しく形成されている。
【００５３】
前述した突出量固定部１２は、位置決め突起２３が小径コルゲートチューブ５の凹条溝９内に侵入することで、当該小径コルゲートチューブ５即ちワイヤハーネス２をプロテクタ本体１１に位置決めする。このとき、突出量固定部１２は、位置決め突起２３が侵入する凹条溝９を適宜洗濯することで、電源ケーブル３の端末の当該突出量固定部１２即ちプロテクタ本体１１からの突出量が、前述した予め定められた突出量Ｄ１，Ｄ２，Ｄ３となるように、当該電源ケーブル３をプロテクタ本体１１に固定する。
【００５４】
蓋体１３は、絶縁性の合成樹脂で構成され、かつ平面形状がプロテクタ本体１１の底壁１５の平面形状と等しい平板状に形成されている。蓋体１３は、プロテクタ本体１１の一対の側壁１６間を塞いだ格好で、当該プロテクタ本体１１に取り付けられる。蓋体１３のプロテクタ本体１１に設けられた突出量固定部１２に相対する表面１３ａには、図５に示すように、大径補助位置決め部２７と、補助位置決め部１４が設けられている。
【００５５】
大径補助位置決め部２７は、蓋体１３の表面１３ａのプロテクタ本体１１の大径位置決め部２０に相対する位置に設けられている。大径補助位置決め部２７は、複数の大径補助位置決め突起２８を備えている。大径補助位置決め突起２８は、それぞれ、蓋体１３の表面１３ａから凸に形成されているとともに、蓋体１３の長手方向に対して直交する方向に沿って直線状に延在している。複数の大径補助位置決め突起２８は、蓋体１３の長手方向に互いに間隔をあけて配置されている。
【００５６】
また、大径補助位置決め突起２８の厚みは、それぞれ、大径コルゲートチューブ４の凹条溝７の当該大径コルゲートチューブ４の長手方向の幅と等しく形成されている。大径補助位置決め突起２８は、前述した蓋体１３の表面１３ａから突出して、円弧状に形成されている。また、大径補助位置決め突起２８の曲率半径は、大径コルゲートチューブ４の凹条溝７の外径と略等しく形成されている。
【００５７】
補助位置決め部１４は、蓋体１３の表面１３ａのプロテクタ本体１１の突出量固定部１２に相対する位置に設けられている。補助位置決め部１４は、突出量固定部１２と同数即ち図示例では三つ設けられ、かつこれら三つの補助位置決め部１４は、蓋体１３の幅方向に並べられている。補助位置決め部１４は、それぞれ、複数の補助位置決め突起２９を備えている。補助位置決め突起２９は、それぞれ、蓋体１３の表面１３ａから凸に形成されているとともに、蓋体１３の長手方向に対して直交する方向に沿って直線状に延在している。複数の補助位置決め突起２９は、蓋体１３の長手方向に互いに間隔をあけて配置されている。
【００５８】
また、補助位置決め突起２９の厚みは、それぞれ、小径コルゲートチューブ５の凹条溝９の当該小径コルゲートチューブ５の長手方向の幅と等しく形成されている。さらに、補助位置決め突起２９は、蓋体１３表面１３ａから突出して、円弧状に形成されている。また、補助位置決め突起２９の曲率半径は、小径コルゲートチューブ５の凹条溝９の外径と略等しく形成されている。
【００５９】
前述した蓋体１３は、図１に示すように、一対の側壁１６間を塞いだ格好で、プロテクタ本体１１に取り付けられる。このとき、大径コルゲートチューブ４の端部の凹条溝７内に大径補助位置決め突起２８を挿入して、当該大径コルゲートチューブ４を位置決めする。小径コルゲートチューブ５の端部の凹条溝９内に補助位置決め突起２９を挿入して、当該小径コルゲートチューブ５を位置決めする。さらに、蓋体１３は、大径補助位置決め部２７が大径位置決め部２０との間に大径コルゲートチューブ４を挟み込み、補助位置決め部１４が突出量固定部１２との間に小径コルゲートチューブ５を挟み込む。
【００６０】
本実施形態によれば、向き固定部１７により、端子金具６が予め定められた向きとなるように、各電源ケーブル３がプロテクタ本体１１に固定される。このために、電源ケーブル３を電源装置などの電子機器に取り付ける際に、捻る必要が生じない。したがって、電源ケーブル３を電源装置などの電子機器に取り付ける際に捻る必要が生じないので、当該電源ケーブル３を確実に電子機器に取り付けることが可能となる。
【００６１】
向き固定部１７が電源ケーブル３の径方向に間隔をあけた複数の凸部１８と、複数の凸部１８に電源ケーブル３を押し付ける固定部材としての結束バンド２４とを備えている。このために、複数の凸部１８に電源ケーブル３が密に直接接触するので、向き固定部１７が電源ケーブル３の向きを確実に予め定められた向きに固定することができる。よって、電源ケーブル３をより確実に電子機器に取り付けることが可能となる。
【００６２】
突出量固定部１２により、プロテクタ本体１１からの突出量が予め定められた突出量Ｄ１，Ｄ２，Ｄ３となるように、各電源ケーブル３がプロテクタ本体１１に固定される。このために、電源ケーブル３を電源装置などの電子機器に取り付ける際に、当該電源ケーブル３が短すぎることなくかつ長すぎることも無い。よって、当該電源ケーブル３をより確実に電子機器に取り付けることが可能となる。
【００６３】
突出量固定部１２が底壁１５から立設した側壁１６及び仕切り壁２２の互いに相対する内面に設けられた位置決め突起２３を備えている。このため、突出量固定部１２は、当該位置決め突起２３に小径コルゲートチューブ５などを引っ掛けることにより、電源ケーブル３の突出量が予め定められた突出量Ｄ１，Ｄ２，Ｄ３となるように、当該電源ケーブル３をプロテクタ本体１１に固定することができる。よって、当該電源ケーブル３をより一層確実に電子機器に取り付けることが可能となる。
【００６４】
前述した実施形態は本発明の代表的な形態を示したに過ぎず、本発明は、実施形態に限定されるものではない。本発明の骨子を逸脱しない範囲で種々変形して実施することができる。即ち、本発明では、例えば、側壁１６及び仕切り壁２２に位置決め突起２３を設けて、位置決め突起２３を底壁１５に設けなくてもよい。
【符号の説明】
【００６５】
１  ハーネス用プロテクタ
２  ワイヤハーネス
３  電源ケーブル（電線）
６  端子金具
１１  プロテクタ本体
１２  突出量固定部
１６  側壁（立設壁）
１７  向き固定部
１８  凸部
１９  貫通孔
２２  仕切り壁（立設壁）
２３  位置決め突起
２４  結束バンド（固定部材）
Ｄ１，Ｄ２，Ｄ３  予め定められた突出量
【図１】
0005750264.tif 000002
【図２】
0005750264.tif 000003
【図３】
0005750264.tif 000004
【図４】
0005750264.tif 000005
【図５】
0005750264.tif 000006
【図６】
0005750264.tif 000007